(57)【要約】【課題】自励式スイッチング電源を用いるときにも、スイッチングノイズが原因となるビート障害を除去する。【解決手段】自励式スイッチング電源４のスイッチング周波数の整数倍の周波数のスイッチングノイズである高調波ノイズが原因となって、受信部３がＡＭ放送を受信するときに生じるビート障害を、スイッチング周波数を変化させることによって除去するビート除去手段を有し、ビート除去手段は、ユーザの操作が入力されるビート除去キーと、自励式スイッチング電源４の直流出力の負荷となる負荷抵抗Ｒ１と、負荷抵抗Ｒ１の電流経路に挿入され、電流経路の接続を開閉するスイッチ部５とを備え、ビート除去キーが操作されたときには、スイッチ部５の接続の状態を反転させている。【選択図】　図１
0003098365.tif 000002
【実用新案登録請求の範囲】
【請求項１】
ＡＭ放送を受信する受信部と、
受信部に動作電源を供給するスイッチング電源と、
スイッチング電源のスイッチング周波数の整数倍の周波数のスイッチングノイズである高調波ノイズが原因となって、受信部がＡＭ放送を受信するときに生じるビート障害を、スイッチング電源のスイッチング周波数を変化させることによって除去するビート除去手段とを有するＡＭ放送受信装置において、
スイッチング電源をＲＣＣ方式スイッチング電源とし、
ビート除去手段は、
ユーザの操作が入力されるビート除去キーと、
ＲＣＣ方式スイッチング電源の直流出力の負荷となる負荷抵抗と、
負荷抵抗の電流経路に挿入され、電流経路の接続を開閉するスイッチ部とを備え、
ビート除去キーが操作されたときにはスイッチ部の接続状態を反転させ、スイッチ部の接続が閉じられた状態において受信部が受信するＡＭ放送の周波数が変更されたときにはスイッチ部の接続を開き、
負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の１．５倍から２倍の範囲となる値に設定されていることを特徴とするＡＭ放送受信装置。
【請求項２】
ＡＭ放送を受信する受信部と、
受信部に動作電源を供給するスイッチング電源と、
スイッチング電源のスイッチング周波数の整数倍の周波数のスイッチングノイズである高調波ノイズが原因となって、受信部がＡＭ放送を受信するときに生じるビート障害を、スイッチング電源のスイッチング周波数を変化させることによって除去するビート除去手段とを有するＡＭ放送受信装置において、
スイッチング電源を自励式スイッチング電源とし、
ビート除去手段は、
ユーザの操作が入力されるビート除去キーと、
自励式スイッチング電源の直流出力の負荷となる負荷抵抗と、
負荷抵抗の電流経路に挿入され、電流経路の接続を開閉するスイッチ部とを備え、
ビート除去キーが操作されたときには、スイッチ部の接続状態を反転させることを特徴とするＡＭ放送受信装置。
【請求項３】
負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の１．５倍から２倍の範囲となる値に設定されていることを特徴とする請求項２記載のＡＭ放送受信装置。
【請求項４】
負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の２倍から５倍の範囲となる値に設定されていることを特徴とする請求項２記載のＡＭ放送受信装置。
【考案の詳細な説明】
【０００１】
【考案の属する技術分野】
本考案は、動作電源が自励式スイッチング電源から供給されるＡＭ放送受信装置に係り、より詳細には、ビート障害が生じたときには、自励式スイッチング電源のスイッチング周波数を変化させてビート障害を除去するＡＭ放送受信装置に関するものである。
【０００２】
【従来の技術】
中波帯域のＡＭ放送を受信する装置において、スイッチング電源から動作電源を供給する場合、スイッチング電源のスイッチング周波数の整数倍の周波数の高調波ノイズが、受信しようとするＡＭ放送の周波数に近接した周波数となるときがある。このような場合では、高調波ノイズと受信しようとするＡＭ放送のキャリアとの間でビートを生じ、放送が非常に聞きづらいものとなる。このような不都合を解消するため、以下に示す従来技術が提案されている（第１の従来技術とする）。すなわち、この技術では、他励方式のスイッチング電源に、スイッチング周波数を決定するための発振回路を２つ設けている。また、この２つの発振回路の発振周波数を互いに異ならせている。そして、受信しようとするＡＭ放送の周波数に対応して、２つの発振回路のうちの一方を選択している。従って、一方の側の発振回路を用いた場合では、ビート障害を生じる場合であっても、他方の側を用いることで、ビート障害の発生を回避している（例えば、特許文献１参照）。
【０００３】
また、以下に示す従来技術が提案されている（第２の従来技術とする）。すなわち、この技術では、ＡＭ放送を受信する受信部の局部発振信号を１／２に分周した信号をスイッチングのための信号として用いている。従って、スイッチング周波数や、その整数倍の周波数は、受信する周波数から大きく離れた周波数となるため、ＡＭ放送の受信におけるビート障害の発生が回避されることになる（例えば、特許文献２参照）。
【０００４】
【特許文献１】
特許第２６８４８６２号公報
【特許文献２】
特許第３２７６９２１号公報
【０００５】
【考案が解決しようとする課題】
しかしながら第１の従来技術や第２の従来技術は、スイッチング周波数を発振回路の発振周波数によって決定することが可能な他励方式のスイッチング電源を用いた場合に適用可能な技術となっている。一方、回路構成が簡単であり、部品原価を安価なものとすることができるＲＣＣ方式スイッチング電源においては、スイッチング周波数は一定ではなく、負荷の状態に応じて変化する。このため、動作電源の生成にＲＣＣ方式スイッチング電源を用いる場合では、適用することが困難となっていた。
【０００６】
本考案は上記課題を解決するため創案されたものであって、その目的は、ＲＣＣ方式スイッチング電源を用いるときにも、スイッチングノイズが原因となるビート障害を除去することのでき、且つ、ビート障害を除去するために生じる消費電力の増加を微少な値に抑制することのでき、且つ、不要な消費電力の増加を防止することのできるＡＭ放送受信装置を提供することにある。
【０００７】
また本考案の目的は、ＡＭ放送の受信時にビート障害が生じるときには、自励式スイッチング電源の負荷を変化させることでもって、スイッチング周波数を変移させることにより、自励式スイッチング電源を用いるときにも、スイッチングノイズが原因となるビート障害を除去することのできるＡＭ放送受信装置を提供することにある。
【０００８】
また上記目的に加え、スイッチング周波数の整数倍の信号であり、受信する放送に干渉する高調波ノイズの周波数を変移させるときの変移量を、放送の周波数の間隔の最小値の１．５倍から２倍の範囲の値とすることにより、ビート障害を除去するために生じる消費電力の増加を微少な値に抑制することのできるＡＭ放送受信装置を提供することにある。
【０００９】
また上記目的に加え、スイッチング周波数の整数倍の信号であり、受信する放送に干渉する高調波ノイズの周波数を変移させるときの変移量を、放送の周波数の間隔の最小値の２倍から５倍の範囲の値とすることにより、ビート障害を除去するために生じる消費電力の増加を抑制しつつ、安定してビート障害の除去を行うことのできるＡＭ放送受信装置を提供することにある。
【００１０】
【課題を解決するための手段】
上記課題を解決するため本考案に係るＡＭ放送受信装置は、ＡＭ放送を受信する受信部と、受信部に動作電源を供給するスイッチング電源と、スイッチング電源のスイッチング周波数の整数倍の周波数のスイッチングノイズである高調波ノイズが原因となって、受信部がＡＭ放送を受信するときに生じるビート障害を、スイッチング電源のスイッチング周波数を変化させることによって除去するビート除去手段とを有するＡＭ放送受信装置に適用している。そして、スイッチング電源をＲＣＣ方式スイッチング電源とし、ビート除去手段は、ユーザの操作が入力されるビート除去キーと、ＲＣＣ方式スイッチング電源の直流出力の負荷となる負荷抵抗と、負荷抵抗の電流経路に挿入され、電流経路の接続を開閉するスイッチ部とを備え、ビート除去キーが操作されたときにはスイッチ部の接続状態を反転させ、スイッチ部の接続が閉じられた状態において受信部が受信するＡＭ放送の周波数が変更されたときにはスイッチ部の接続を開き、負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の１．５倍から２倍の範囲となる値に設定されている。
【００１１】
すなわち、スイッチ部の接続を反転させると、負荷抵抗による消費電力分だけ、総合的な消費電力が変化する。従って、ＲＣＣ方式スイッチング電源におけるスイッチング周波数が変化する。また、高調波ノイズの変移量は少ないので、高調波ノイズの周波数の変移に必要となる負荷抵抗の消費電力は、微少な値に留まる。また、ビート障害を生じる周波数のＡＭ放送を受信していた状態から、異なる周波数のＡＭ放送の受信に移行したときには、負荷抵抗による電力の消費が停止される。
【００１２】
また本考案に係るＡＭ放送受信装置は、ＡＭ放送を受信する受信部と、受信部に動作電源を供給するスイッチング電源と、スイッチング電源のスイッチング周波数の整数倍の周波数のスイッチングノイズである高調波ノイズが原因となって、受信部がＡＭ放送を受信するときに生じるビート障害を、スイッチング電源のスイッチング周波数を変化させることによって除去するビート除去手段とを有するＡＭ放送受信装置に適用している。そして、スイッチング電源を自励式スイッチング電源とし、ビート除去手段は、ユーザの操作が入力されるビート除去キーと、自励式スイッチング電源の直流出力の負荷となる負荷抵抗と、負荷抵抗の電流経路に挿入され、電流経路の接続を開閉するスイッチ部とを備え、ビート除去キーが操作されたときには、スイッチ部の接続状態を反転させている。
【００１３】
すなわち、スイッチ部の接続を反転させると、負荷抵抗による消費電力分だけ、総合的な消費電力が変化する。従って、自励式スイッチング電源におけるスイッチング周波数が変化する。
【００１４】
また上記構成に加え、負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の１．５倍から２倍の範囲となる値に設定されている。すなわち、高調波ノイズの変移量は少ないので、高調波ノイズの周波数の変移に必要となる負荷抵抗の消費電力は、微少な値に留まる。
【００１５】
また上記構成に加え、負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の２倍から５倍の範囲となる値に設定されている。すなわち、高調波ノイズの変移量は比較的少ないので、高調波ノイズを変移させるために負荷抵抗に消費させる電力を比較的小さい値とすることができる。また、スイッチング周波数にドリフトが生じる（高調波ノイズにドリフトが生じる）ときにも、受信中のＡＭ放送の周波数と高調波ノイズの周波数との間には、充分な差異が確保される。
【００１６】
【考案の実施の形態】
以下に本考案の実施例の形態を、図面を参照しつつ説明する。
図１は、本考案に係るＡＭ放送受信装置の一実施形態を適用したＤＶＤ再生装置・ビデオカセットレコーダ一体型受信装置の電気的構成を示すブロック線図である。
【００１７】
図において、ＤＶＤ再生部１は、図示されないＤＶＤを再生するとともに、再生して得られた映像信号や音声信号を出力切換部６に出力する。ビデオカセットレコーダ部２は、ビデオカセットテープを再生するとともに、再生して得られた映像信号や音声信号を出力切換部６に出力する。また、ビデオカセットテープに映像信号や音声信号の記録を行う。受信部３は、中波帯域のＡＭ放送の受信やＦＭ放送の受信を行うとともに、受信して得られた音声信号を出力切換部６に出力する。出力切換部６は、制御部７からの指示に従い、ＤＶＤ再生部１から出力される映像信号や音声信号、あるいは、ビデオカセットレコーダ部２から出力される映像信号や音声信号、または、受信部３から出力される音声信号を、映像の表示や音声の出力を行う出力部（図示を省略）に送出する。
【００１８】
入力部８は、前面パネルに設けられた電源キー等の複数のキースイッチ（図示を省略）や、リモートコントローラ９から送信される赤外線信号を受信する受信ユニット等から構成されており、ユーザの指示が入力される。また、入力された指示を制御部７に送出する。リモートコントローラ９は、図３に示すように、電源キー３０や数字キー３１等を備えている。また、ＡＭ放送を受信していてビート妨害が生じたとき、ビート妨害の除去のためにユーザが操作するビート除去キー３２を備えている。
【００１９】
ＲＣＣ方式スイッチング電源（以下では、単にスイッチング電源と称する）４は、従来技術として公知の構成となっており、受信部３に動作電源を供給する。また、ＤＶＤ再生部１、ビデオカセットレコーダ部２、出力切換部６、および、制御部７にも動作電源を供給する。なお、受信部３がＡＭ放送を受信する状態となるときのスイッチング周波数は約９０ＫＨｚとなっている。負荷抵抗Ｒ１は、スイッチング電源４の直流出力の負荷を形成する素子となっている。スイッチ部５は、負荷抵抗Ｒ１の電流経路の接続を開閉するブロックとなっている。
【００２０】
図２は、スイッチング電源４、負荷抵抗Ｒ１、および、スイッチ部５の電気的接続を示す回路図である。同図を参照しつつ、スイッチング電源４、負荷抵抗Ｒ１、および、スイッチ部５の構成について詳細に説明する。
【００２１】
スイッチング回路２１は、自励発振を行うことによって、トランス２２に巻回された一次コイルＬ１に流れる電流をスイッチングするブロックとなっている。このため、帰還コイルＬ３の出力がゲートに導かれ、自励発振を行うことにより、一次コイルＬ１に流れる電流をスイッチングするスイッチング用ＦＥＴを備えている。また、スイッチング用ＦＥＴのゲート電位をフォトカプラ２６の出力に従って制御することにより、スイッチング用ＦＥＴのスイッチングを制御する制御トランジスタ、等を備えている。
【００２２】
誤差検出回路２５は、二次コイルＬ２のタップの出力を、ダイオードＤ２とコンデンサＣ２とでもって整流平滑した５Ｖの直流出力Ｖ５の電圧誤差を検出し、検出結果を、フォトカプラ２６を介して、スイッチング回路２１に帰還する。
【００２３】
ダイオードＤ１とコンデンサＣ１とは、二次コイルＬ２の端部側端子の出力を整流平滑して、１２Ｖの直流出力Ｖ１２を生成する。定電圧スイッチ回路２３は、１２Ｖの直流出力Ｖ１２から、９Ｖに安定化された直流出力Ｖ９Ｐを生成する降圧型定電圧回路となっている。且つ、制御部７からの出力５２に従って、直流出力Ｖ９Ｐの電圧を９Ｖと０Ｖとに切り換える。スイッチ回路２４は、５Ｖの直流出力Ｖ５のオンオフを行うブロックであり、直流出力Ｖ９Ｐが９Ｖとなるときには、直流出力Ｖ５Ｐの電圧を５Ｖとし、直流出力Ｖ９Ｐが０Ｖとなるときには、直流出力Ｖ５Ｐの電圧を０Ｖとする。
【００２４】
すなわち、直流出力Ｖ５Ｐ，Ｖ９Ｐは、電源キー３０を用いて電源オンとするときには、５Ｖおよび９Ｖとなり、電源オフとするときには、ともに０Ｖとなる。このため、直流出力Ｖ５Ｐ，Ｖ９Ｐは、ＤＶＤ再生部１、ビデオカセットレコーダ部２、受信部３、および、出力切換部６に、動作電源として供給されている。また、常に５Ｖに維持される直流出力Ｖ５は、制御部７の動作電源となっている。また、直流出力Ｖ１２は、電源オフ時にも動作電源が必要となるブロック（例えば、電源オフ時にも時刻の表示等を行う表示回路）に供給されている。なお、その他の直流出力も併せて生成されているが、これらについては図示が省略されている）。
【００２５】
抵抗Ｒ１は、直流出力Ｖ１２の負荷となる負荷抵抗となっている。このため、負荷抵抗Ｒ１の一方の端子は、直流出力Ｖ１２に接続されている。そして、他方の端子は、トランジスタＱ１のコレクタに接続されている。また、トランジスタＱ１のベースには、ベース電流を制限する抵抗Ｒ２を介して、制御部７からの出力５３が導かれている。また、トランジスタＱ１のエミッタは接地されるとともに、ベースと接地レベルとの間には、ベースインピーダンスの上昇を抑制する抵抗Ｒ３が接続されている。
【００２６】
２つの抵抗Ｒ２，Ｒ３とトランジスタＱ１とからなるスイッチ部５は、上記した構成となっている。このため、出力５３がＨレベルとなるときには、負荷抵抗Ｒ１の電流経路の接続を閉じ、出力５３がＬレベルとなるときには、負荷抵抗Ｒ１の電流経路の接続を開く。
【００２７】
ここで、スイッチング回路２１のスイッチングの周波数について説明すると、二次側の負荷が重くなるときにはスイッチング周波数は低くなり、負荷が軽くなるときにはスイッチング周波数は高くなる。従って、スイッチ部５の接続を閉じ、負荷抵抗Ｒ１の電流経路の接続を閉じるときには、負荷抵抗Ｒ１による負荷の増大分に対応してスイッチング周波数に低下が生じる。つまり、スイッチ部５の接続の開閉を行うことでもって、スイッチング回路２１のスイッチング周波数を変化させることができる。なお、負荷抵抗Ｒ１により消費される電力は無駄な電力となっている。このため、負荷抵抗Ｒ１の値については、可能な範囲で消費電力が小さくなるように設定されている（後に詳述する）。
【００２８】
図１を参照した全体的構成の説明に戻る。制御部７は、マイクロコンピュータを主要部として構成されており、ＤＶＤ再生装置・ビデオカセットレコーダ一体型受信装置としての主要動作を制御する。このため、ＤＶＤ再生部１の動作を制御する。また、ビデオカセットレコーダ部２の動作を制御する。また、受信部３が受信する周波数の制御等を行う。
【００２９】
また、制御部７は、負荷抵抗Ｒ１やスイッチ部５と協働することにより、ビート除去手段を構成する。すなわち、スイッチング電源４のスイッチング周波数の整数倍の周波数となるスイッチングノイズ（以下では、高調波ノイズと称する）が、受信部３が受信するＡＭ放送の周波数に近接した周波数となるため、受信するＡＭ放送にビート障害が生じるとき、スイッチング電源４のスイッチング周波数を変化させることでもって、上記したビート障害を除去する。
【００３０】
すなわち、制御部７は、受信部３が中波帯域のＡＭ放送を受信している状態において、ビート除去キー３２が操作されたことを入力部８から知らされると、スイッチ部５の接続の状態を反転させる。その結果、スイッチング電源４のスイッチング周波数が変化するので、高調波ノイズの周波数が、ビート障害を生じる周波数から、少しだけ異なる周波数に変移し、ビート障害が消える。
【００３１】
また、制御部７は、受信部３が受信するＡＭ放送の周波数変更をユーザから指示されたときには、指示された周波数のＡＭ放送を受信部３が受信するように制御する。また、スイッチ部５の接続が閉じた状態にあるときには、スイッチ部５の接続を開いた状態に変更することによって、不要な電力の消費を停止する（スイッチ部５の接続が既に開いた状態にあるときには、この状態を維持する）。
【００３２】
図４は、ＡＭ放送の電波と高調波ノイズとの関係を示す説明図である。同図を参照しつつ、高調波ノイズの周波数とビート障害との関係について説明する。
【００３３】
同図における６１は、ＡＭ放送の電波のキャリア信号を示している。また、６２は、ＡＭ放送の電波の側波帯を示している。なお、国内におけるＡＭ放送の周波数の間隔の最小値（以下では最小間隔値と称する）は９ＫＨｚとなっている。このため、側波帯６２の周波数の広がり幅ｄ１は約９ＫＨｚである。
【００３４】
いま、高調波ノイズが６４１により示す信号になっているとする。この場合では、キャリア信号６１との干渉によってビート障害が発生する。このビート障害が生じるとき、高調波ノイズ６４１の周波数を変移させて、高調波ノイズを、例えば６４２により示す信号とするときには、ビート障害が消えることになる。
【００３５】
ここで、高調波ノイズによるビート障害が生じるとき、変移させる必要のある周波数幅について、同図（Ａ）を参照しつつ検討する。高調波ノイズの周波数を低い側に変移させてビート障害を除去する場合、最も条件が悪くなるときの高調波ノイズは、６３１に示す信号となるときである。このときでも、周波数の変移量を、最小間隔値の１．５倍（１３．５ＫＨｚ）とすると、低い側に変移した高調波ノイズ６３２とキャリア信号６１との周波数の差異は充分に大きな値となって、ビート障害が消えることになる。
【００３６】
同図（Ｂ）は、上記した高調波ノイズの周波数の変移量を、最小間隔値の２倍（１８ＫＨｚ）とした場合を示しており、充分な余裕を持って、ビート障害が除去されることが示されている。
【００３７】
一方、高調波ノイズの周波数を低い側に変移させるには、スイッチング電源４のスイッチング周波数を低い側に変移させる必要があり、負荷を増大させる必要がある。従って、高調波ノイズの変移量を大きくするには、負荷抵抗Ｒ１における消費電力を大きくする必要がある。その一方で、変移量を大きくするときでは、変移後におけるスイッチング周波数の高い側へのドリフトが原因となって、高調波ノイズ６３３，６４３が周波数の高い側へドリフトするときにも、ドリフト量が数ＫＨｚ程度に留まるときでは、高調波ノイズ６３３，６４３の周波数とキャリア信号６１の周波数との間に充分な差異が確保され、ビート障害が発生しない、という効果が得られる。
【００３８】
また、スイッチング周波数の変移量を一定とする場合では、高調波ノイズが低次の高調波信号となるほどに、周波数の変移量が少なくなる。従って、中波帯域に属する高調波ノイズのうち、その周波数が最も低くなる高調波ノイズにおいて、必要とする変移量を与える場合では、その他の周波数の高調波ノイズにおいては、充分な変移量が確保されることになる。
【００３９】
以上のことから、実施形態では、その周波数が中波帯域となる高調波ノイズのうち、最も周波数が低い側の高調波ノイズ（約５４０ＫＨｚ）において、スイッチ部５の接続を閉じたとき、約１５ＫＨｚの周波数の変移が生じるように、負荷抵抗Ｒ１の値を設定している。なお、このときの負荷抵抗Ｒ１の値は実験的に求まるものとなっており、求まった値の負荷抵抗Ｒ１による消費電力は、全体の消費電力の約１％となっている（スイッチング周波数のドリフトが大きいことが想定される場合では、上記した最も周波数が低い側の高調波ノイズにおいて、スイッチ部５の接続を閉じたとき、最小間隔値の２倍〜５倍の変移が生じるように、負荷抵抗Ｒ１の値を設定することもできる）。
【００４０】
図５は、実施形態の主要動作を示すフローチャートである。必要に応じて同図を参照しつつ、実施形態の動作を説明する。
【００４１】
ＡＭ放送の受信モードとなったときには（このときでは、スイッチ部５の接続は開かれた状態にある）、制御部７は、受信部３が中波帯域のＡＭ放送を受信するように制御する（ステップＳ１）。このとき、受信したＡＭ放送の周波数が、スイッチング電源４のスイッチング周波数の整数倍の周波数（高調波ノイズの周波数）に極めて接近した周波数となっていたことから、ビート障害が生じたとする。また、ユーザがビート除去キー３２を操作したとする。
【００４２】
制御部７は、ビート除去キー３２が操作されたことを入力部８から知らされると、スイッチ部５の接続の状態を反転させる。すなわち、スイッチ部５の状態を、接続が開かれた状態から閉じた状態に変更する（ステップＳ２，Ｓ３）。スイッチ部５の接続状態が、開かれた状態から閉じられた状態に変わると、負荷抵抗Ｒ１による負荷分だけスイッチング電源４の総合的な負荷が重くなり、スイッチング周波数が少しだけ低い側に変移する。その結果、上記したように、高調波ノイズの周波数が低い側に変移するので、ビート障害が消えることになる。
【００４３】
なお、この状態において、再度、ビート除去キー３２を操作したときでは、スイッチ部５の接続は再び開かれることになる。そして、さらに、ビート除去キー３２を操作すると、再度、スイッチ部５の接続は閉じられる。従って、ユーザは、ビート除去キー３２によるビート障害の除去の効果を容易に確認することができる。
【００４４】
いま、ビート除去キー３２が操作されたことから、スイッチ部５の接続が閉じられた状態にあるとする。この状態において、リモートコントローラ９に、異なる周波数の受信の指示を入力すると、制御部７は、指示された周波数のＡＭ放送を受信部３に受信させる制御を行う（ステップＳ４，Ｓ５）。また、併せて、スイッチ部５の接続を開く（ステップＳ６）。
【００４５】
ステップＳ６においてスイッチ部５の接続を開くのは以下の理由による。すなわち、受信する周波数を変えるとともに、スイッチ部５の接続を開いた状態にする場合と、受信する周波数を変えるとともに、スイッチ部５の接続を閉じた状態にする場合との、いずれにおいても、受信周波数の変更後にビート障害が発生する確率は変わらない。このため、スイッチ部５の接続を開く方が、負荷抵抗Ｒ１による電力の消費が無くなり、総合的な消費電力を少なくすることができるからである。
【００４６】
なお、本考案は上記実施形態に限定されず、ＡＭ放送における周波数の間隔の最小値（最小間隔値）が９ＫＨｚとなる地域に適用した場合について説明したが、最小間隔値が１０ＫＨｚとなる場合にも、同様に適用することができる。
【００４７】
また、負荷抵抗が接続される直流出力については、１２Ｖの直流出力Ｖ１２とした場合について説明したが、その他の電圧の直流出力（例えば、９Ｖの直流出力Ｖ９Ｐ等）に接続した構成とすることができる。
【００４８】
【考案の効果】
以上説明したように、本考案では、ＲＣＣ方式スイッチング電源の直流出力の負荷となる負荷抵抗と、負荷抵抗の電流経路に挿入され、電流経路の接続を開閉するスイッチ部とを備え、ビート除去キーが操作されたときにはスイッチ部の接続状態を反転させ、信部が受信するＡＭ放送の周波数が変更されたときにはスイッチ部の接続を開くようになっている。また、負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の１．５倍から２倍の範囲となる値に設定されている。従って、スイッチ部の接続の状態を反転させると、ＲＣＣ方式スイッチング電源のスイッチング周波数が変化する。また、高調波ノイズの周波数の変移に必要となる負荷抵抗の消費電力は、微少な値となる。また、ビート障害を生じる周波数のＡＭ放送を受信していた状態から、異なる周波数のＡＭ放送の受信に移行したときには、負荷抵抗による電力の消費が停止される。このため、ＲＣＣ方式スイッチング電源を用いるときにも、スイッチングノイズが原因となるビート障害を除去することができ、且つ、ビート障害を除去するために生じる消費電力の増加を微少な値に抑制することができ、且つ、不要な消費電力の増加を防止することができる。
【００４９】
また本考案では、自励式スイッチング電源の直流出力の負荷となる負荷抵抗と、負荷抵抗の電流経路に挿入され、電流経路の接続を開閉するスイッチ部とを備え、ビート除去キーが操作されたときには、スイッチ部による電流経路の接続の状態を反転させている。従って、スイッチ部の接続を反転させると、負荷抵抗による消費電力分だけ、総合的な消費電力が変化するので、自励式スイッチング電源のスイッチング周波数が変化する。このため、自励式スイッチング電源を用いるときにも、スイッチングノイズが原因となるビート障害を除去することができる。
【００５０】
またさらに、負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の１．５倍から２倍の範囲となる値に設定されている。従って、高調波ノイズの周波数の変移に必要となる負荷抵抗の消費電力は、微少な値となるので、ビート障害を除去するために生じる消費電力の増加を微少な値に抑制することができる。
【００５１】
またさらに、負荷抵抗の値は、高調波ノイズのうちでその周波数が中波帯域内の最も低い周波数となる高調波ノイズについての、スイッチ部の接続を開いたときの周波数とスイッチ部の接続を閉じたときの周波数との差異が、中波帯域のＡＭ放送の周波数の間隔の最小値の２倍から５倍の範囲となる値に設定されている。従って、負荷抵抗による消費電力を比較的小さい値とすることができる。また、受信中のＡＭ放送の周波数と高調波ノイズの周波数との間には、常に、充分な差異が確保される。このため、ビート障害を除去するために生じる消費電力の増加を抑制しつつ、安定してビート障害の除去を行うことができる。
【図面の簡単な説明】
【図１】本考案に係るＡＭ放送受信装置の一実施形態を適用したＤＶＤ再生装置・ビデオカセットレコーダ一体型受信装置の電気的構成を示すブロック線図である。
【図２】スイッチング電源、負荷抵抗、および、スイッチ部の電気的接続を示す回路図である。
【図３】リモートコントローラに設けられたビート除去キーを示す説明図である。
【図４】ＡＭ放送の電波と高調波ノイズとの関係を示す説明図である。
【図５】実施形態の主要動作を示す説明図である。
【符号の説明】
３　受信部
４　ＲＣＣ方式スイッチング電源
５　スイッチ部
３２　ビート除去キー
Ｒ１　負荷抵抗
【図１】
0003098365.tif 000003
【図２】
0003098365.tif 000004
【図３】
0003098365.tif 000005
【図４】
0003098365.tif 000006
【図５】
0003098365.tif 000007